(57)【要約】  第１及び第２の無線基地局装置と、第１から第３の端末装置とを備えた無線通信システムにおいて、前記第１の無線基地局装置は、前記第１の端末装置が前記第１の無線基地局装置を介さずに前記第２の端末装置と第２の無線通信を行うとき、前記第１の端末装置が前記第１の無線基地局装置を介して第１の無線通信を行うときに割り当てられる第１の無線リソースに対して第２の無線リソースを前記第１の端末装置に割り当てる無線リソース制御部と、前記第２の無線リソースの割り当て情報を前記第１の端末装置に送信する第１の送信部とを備え、前記第１の端末装置は、前記割り当て情報を前記第１の無線基地局装置から受信する受信部を備え、  前記第２の無線リソースは、前記第２の無線基地局装置において前記第３の端末装置が前記第２の無線通信を行うときに割り当てられる第３の無線リソースと同一又は一部が重複する。
2013179472.tif 000002
【特許請求の範囲】
【請求項１】
第１及び第２の無線基地局装置と、
第１から第３の端末装置とを備えた無線通信システムにおいて、
前記第１の無線基地局装置は、
前記第１の端末装置が前記第１の無線基地局装置を介さずに前記第２の端末装置と第２の無線通信を行うとき、前記第１の端末装置が前記第１の無線基地局装置を介して第１の無線通信を行うときに割り当てられる第１の無線リソースに対して第２の無線リソースを前記第１の端末装置に割り当てる無線リソース制御部と、
前記第２の無線リソースの割り当て情報を前記第１の端末装置に送信する第１の送信部とを備え、
前記第１の端末装置は、前記割り当て情報を前記第１の無線基地局装置から受信する受信部を備え、
前記第２の無線リソースは、前記第２の無線基地局装置において前記第３の端末装置が前記第２の無線通信を行うときに割り当てられる第３の無線リソースと同一又は一部が重複することを特徴とする無線通信システム。
【請求項２】
前記無線リソース制御部は、前記第１の端末装置が前記第１の無線基地局装置の通信範囲外において前記第２の無線通信を行うとき、前記第１の端末装置に対して、前記第１の無線リソース内又は前記第２の無線リソース内において第４の無線リソースを割り当て、
前記送信部は前記第４の無線リソースの割り当て情報を前記第１の端末装置に送信し、
前記受信部は前記割り当て情報を前記第１の無線基地局装置から受信することを特徴とする請求項１記載の無線通信システム。
【請求項３】
前記第４の無線リソースは、前記第３の端末装置が前記第２の無線基地局装置の通信範囲外において前記第２の無線通信を行うときに前記第２の無線基地局装置において割り当てられる第５の無線リソースと同一又は一部が重複することを特徴とする請求項２記載の無線通信システム。
【請求項４】
前記送信部は、前記第２の無線リソースの割り当て情報を報知情報としてブロードキャストで送信することで前記割り当て情報を前記第１の端末装置に送信することを特徴とする請求項１記載の無線通信システム。
【請求項５】
前記第２の端末装置が前記第２の無線基地局装置の通信範囲内に位置するとき、前記第２の無線リソースは前記第３の無線リソースと同一であることを特徴とする請求項１記載の無線通信システム。
【請求項６】
前記第１の端末装置は、前記第２の無線リソースを用いて前記第２の端末装置にメッセージを送信する第２の送信部を備え、
前記メッセージは、前記第２の無線通信と他の前記第２の無線通信との衝突回避手順において送受信されるメッセージであることを特徴とする請求項１記載の無線通信システム。
【請求項７】
前記無線リソース制御部は、複数の周波数チャネルのうち、任意の周波数チャネルに対して前記第２の無線リソースを割り当て、
前記送信部は、前記複数の周波数チャネルのうち、前記第２の無線リソースが割り当てられた周波数チャネルに対する識別情報を前記割り当て情報に含めて送信することを特徴とする請求項１記載の無線通信システム。
【請求項８】
前記無線リソース制御部は、複数の周波数チャネルのうち、任意の周波数チャネルに対して第４の無線リソースを割り当て、
前記送信部は、前記複数の周波数チャネルのうち、前記第４の無線リソースが割り当てられた周波数チャネルに対する識別情報を前記割り当て情報に含めて送信することを特徴とする請求項２記載の無線通信システム。
【請求項９】
前記無線リソース制御部は、複数の周波数チャネルに前記第２の無線リソースを各々割り当て、
前記送信部は、前記第２の無線リソースが割り当てられた複数の周波数チャネルのうち、前記第２の無線リソースが割り当てた領域が前記第２の無線リソースが割り当てられた他の周波数チャネルと異なる周波数チャネルが存在するとき、前記領域が異なる第２の無線リソースが割り当てられた前記周波数チャネルに対する識別情報を前記割り当て情報に含めて送信することを特徴とする請求項１記載の無線通信システム。
【請求項１０】
前記無線リソース制御部は、複数の周波数チャネルに前記第４の無線リソースを各々割り当て、
前記送信部は、前記第４の無線リソースが割り当てられた複数の周波数チャネルのうち、前記第４の無線リソースが割り当てた領域が前記第４の無線リソースが割り当てられた他の周波数チャネルと異なる周波数チャネルが存在するとき、前記領域が異なる第４の無線リソースが割り当てられた前記周波数チャネルに対する識別情報を前記割り当て情報に含めて送信することを特徴とする請求項１記載の無線通信システム。
【請求項１１】
前記無線リソース制御部は、前記第１の無線基地局装置から前記第１の端末装置への第１の通信リンクに対する無線リソースと、前記第１の端末装置から前記第１の無線基地局装置への第２の通信リンクに対する無線リソースの各々に前記第２の無線リソースを割り当てることを特徴とする請求項１記載の無線通信システム。
【請求項１２】
前記無線リソース制御部は、前記第１の無線基地局装置配下の端末装置における通信量に応じて、前記第２の無線リソースの大きさを可変にすることを特徴とする請求項１記載の無線通信システム。
【請求項１３】
前記第１の端末装置は、前記第２の端末装置に送信する無線信号の送信電力を可変にする通信制御部と、前記無線信号を前記第２の端末装置に送信する第２の送信部とを備え、
前記第２の送信部は、前記通信制御部において決定された送信電力により前記無線信号を前記第２の端末装置に送信することを特徴とする請求項１記載の無線通信システム。
【請求項１４】
前記無線リソース制御部は、前記第２の無線リソースが前記第３の無線リソースの一部と重複する場合において、前記第２の無線リソースのうち、前記第３の無線リソースと重複しない無線リソースについては、前記第１の無線基地局と閾値以内の距離に位置する前記第１の端末装置に対して割り当てることを特徴とする請求項１記載の無線通信システム。
【請求項１５】
前記第１の端末装置は、前記第２の端末装置に送信する無線信号の送信電力を可変にする通信制御部と、前記無線信号を前記第２の端末装置に送信する第２の送信部とを備え、
前記第２の送信部は、前記通信制御部において決定された送信電力により、前記第３の無線リソースと重複しない無線リソースを用いて、前記無線信号を前記第２の端末装置に送信することを特徴とする請求項１４記載の無線通信システム。
【請求項１６】
前記無線リソース制御部は、複数のサブフレームの各々に前記第１の無線リソースを割り当てるとき、前記第１の無線リソースを割り当てた複数のサブフレームのうち、一部のサブフレームに対して前記第２の無線リソースを割り当てることを特徴とする請求項１記載の無線通信システム。
【請求項１７】
前記無線リソース制御部は、前記第２の無線フレームを割り当てる前記一部のサブフレームに対して、各サブフレームの全体に前記第２の無線フレームを割り当てることを特徴とする請求項１記載の無線通信システム。
【請求項１８】
第１の端末装置が前記無線基地局装置を介さずに第２の端末装置と第２の無線通信を行うとき、前記第１の端末装置が前記無線基地局装置を介して第１の無線通信を行うときに割り当てられる第１の無線リソースに対して第２の無線リソースを前記第１の端末装置に割り当てる無線リソース制御部と、
前記第２の無線リソースの割り当て情報を前記第１の端末装置に送信する送信部とを備え、
前記第２の無線リソースは、他の無線基地局装置において第３の端末装置が前記第２の無線通信を行うときに割り当てられる第３の無線リソースと同一又は一部が重複することを特徴とする無線基地局装置。
【請求項１９】
端末装置が無線基地局装置を介さずに第１の端末装置と第２の無線通信を行うとき、前記端末装置が前記無線基地局装置を介して第１の無線通信を行うときに前記無線基地局装置において割り当てられる第１の無線リソースに対して第２の無線リソースが割り当てられ、前記割り当てられた第２の無線リソースのリソース情報を前記無線基地局装置から受信する受信部を備え、
前記第２の無線リソースは、他の無線基地局装置において第２の端末装置が前記第２の無線通信を行うときに割り当てられる第３の無線リソースと同一又は一部が重複することを特徴とする端末装置。
【請求項２０】
第１及び第２の無線基地局装置と、第１から第３の端末装置とを備えた無線通信システムにおける無線リソースの割り当て方法であって、
前記第１の無線基地局装置は、
前記第１の端末装置が前記第１の無線基地局装置を介さずに前記第２の端末装置と第２の無線通信を行うとき、前記第１の端末装置が前記第１の無線基地局装置を介して第１の無線通信を行うときに割り当てられる第１の無線リソースに対して第２の無線リソースを前記第１の端末装置に割り当て、
前記第２の無線リソースの割り当て情報を前記第１の端末装置に送信し、
前記第１の端末装置は、前記割り当て情報を前記第１の無線基地局装置から受信し、
前記第２の無線リソースは、前記第２の無線基地局装置において前記第３の端末装置が前記第２の無線通信を行うときに割り当てられる第３の無線リソースと同一又は一部が重複することを特徴とする無線リソースの割り当て方法。
【発明の詳細な説明】
【技術分野】
【０００１】
本発明は、無線通信システム、無線端局装置、無線中継局装置、及び無線リソースの割り当て方法に関する。
【背景技術】
【０００２】
現在、携帯電話システムや無線ＬＡＮ（Local
Area Network）などの無線通信システムが広く利用されている。また、無線通信の分野では、通信速度や通信容量を更に向上させるべく、次世代の通信技術について継続的な議論が行われている。例えば、標準化団体である３ＧＰＰ（3rd
Generation Partnership Project）では、ＬＴＥ（Long Term Evolution）と呼ばれる通信規格や、ＬＴＥをベースとしたＬＴＥ−Ａ（LTE-Advances）と呼ばれる通信規格の標準化が完了若しくは検討されている。【０００３】
このような無線通信の分野においては、Ｄｅｖｉｃｅ  ｔｏ  Ｄｅｖｉｃｅ通信（以下、「Ｄ２Ｄ通信」と称する場合がある）と呼ばれる技術がある。Ｄ２Ｄ通信は、例えば、基地局を介さず、端末間で直接通信を行う無線通信技術である。【０００４】
３ＧＰＰにおいても、Ｄ２Ｄ通信を実現する仕組みについて活発な議論が行われている。例えば、３ＧＰＰにおいては、Ｄ２Ｄ通信で使用する周波数チャネルについて、基地局と端末が通信するときに使用される周波数チャネルと同じ周波数チャネルが用いられることが議論されている。【０００５】
しかし、Ｄ２Ｄ通信で使用する周波数チャネルと、基地局と端末との間の無線通信（以下、「基地局端末間通信」と称する場合がある）で使用される周波数チャネルが同じ場合、Ｄ２Ｄ通信と基地局端末間通信との間で干渉が発生する場合がある。【０００６】
図１７は２つの通信間で干渉が発生する場合の例を説明するための図である。【０００７】
図１７の例では、２つの端末６００−１，６００−２は、２つの基地局１００−１，１００−２におけるサービスエリアの範囲にそれぞれ跨ってＤ２Ｄ通信を行っている。また、端末６００−３は基地局５００−２との間で無線通信を行っている。【０００８】
この場合において、端末６００−３は、基地局５００−２から送信された無線信号を受信し（図１７でＹ１）、端末６００−２から端末６００−１に送信された無線信号も受信する（図１７でＸ１）場合もある。【０００９】
端末６００−２から端末６００−１への無線通信で使用される周波数チャネルと、基地局５００−２から端末６００−３への無線通信で使用される周波数チャネルが同じ場合、２つの信号（例えばＸ１とＹ１）は互いに干渉することになる。【００１０】
同様に、端末６００−１から端末６００−２への無線通信に使用される周波数チャネルと、端末６００−３から基地局５００−２への無線通信に使用される周波数チャネルが同じ場合を考える。この場合、基地局５００−２が、端末６００−１から送信された無線信号（例えば図１７のＸ２）を受信したとき、当該無線信号と端末６００−３から送信された無線信号（例えば図１７のＹ２）が互いに干渉する。【００１１】
このような干渉の問題に対して、３ＧＰＰでは、基地局においてＤ２Ｄ通信の無線リソースのスケジューリングを行うことも議論されている。
【先行技術文献】
【非特許文献】
【００１２】
【非特許文献１】3GPP TS36.211V10.4.0(2011-12)
【非特許文献２】3GPP TS36.212V10.5.0(2012-3)
【非特許文献３】3GPP TS36.213V10.5.0(2012-3)
【非特許文献４】3GPP TS36.214V10.1.0(2012-3)
【非特許文献５】3GPP RP-120417
【発明の概要】
【発明が解決しようとする課題】
【００１３】
しかし、基地局がＤ２Ｄ通信の無線リソースに対するスケジューリングを行う場合、端末は基地局のサービスエリア内でＤ２Ｄ通信を行うことになる。この場合、Ｄ２Ｄ通信を行う端末が基地局のサービスエリア外に移動したとき、Ｄ２Ｄ通信を行うことができなくなる。【００１４】
また、基地局がＤ２Ｄ通信の無線リソースに対するスケジューリングを行う場合、基地局は無線リソースのスケジューリングについて複雑な処理となる場合がある。例えば、基地局は、自身が関与しないＤ２Ｄ通信に対する無線リソースの割り当てと、配下の端末に対する無線リソースの割り当ての双方を考慮してスケジューリングを行うからである。【００１５】
そこで、本発明の一目的は、干渉を回避するようにした無線通信システム、無線基地局装置、端末装置、及び無線リソースの割り当て方法を提供することにある。【００１６】
また、本発明の他の目的は、無線基地局装置のサービスエリア内に端末装置が存在するか否かに関わらず、端末装置がＤ２Ｄ通信を行うことができる無線通信システム、無線基地局装置、端末装置、及び無線リソースの割り当て方法を提供することにある。【００１７】
さらに、本発明の他の目的は、複雑な処理を行わずにＤ２Ｄ通信を行うことができる無線通信システム、無線基地局装置、端末装置、及び無線リソースの割り当て方法を提供することにある。
【課題を解決するための手段】
【００１８】
一態様によれば、第１及び第２の無線基地局装置と、第１から第３の端末装置とを備えた無線通信システムにおいて、前記第１の無線基地局装置は、前記第１の端末装置が前記第１の無線基地局装置を介さずに前記第２の端末装置と第２の無線通信を行うとき、前記第１の端末装置が前記第１の無線基地局装置を介して第１の無線通信を行うときに割り当てられる第１の無線リソースに対して第２の無線リソースを前記第１の端末装置に割り当てる無線リソース制御部と、前記第２の無線リソースの割り当て情報を前記第１の端末装置に送信する第１の送信部とを備え、前記第１の端末装置は、前記割り当て情報を前記第１の無線基地局装置から受信する受信部を備え、  前記第２の無線リソースは、前記第２の無線基地局装置において前記第３の端末装置が前記第２の無線通信を行うときに割り当てられる第３の無線リソースと同一又は一部が重複する。
【発明の効果】
【００１９】
干渉を回避するようにした無線通信システム、無線基地局装置、端末装置、及び無線リソースの割り当て方法を提供することができる。また、無線基地局装置のサービスエリア内に端末装置が存在するか否かに関わらず、端末装置がＤ２Ｄ通信を行うことができる無線通信システム、無線基地局装置、端末装置、及び無線リソースの割り当て方法を提供することができる。さらに、複雑な処理を行わずにＤ２Ｄ通信を行うことができる無線通信システム、無線基地局装置、端末装置、及び無線リソースの割り当て方法を提供することができる。
【図面の簡単な説明】
【００２０】
【図１】図１は無線通信システムの構成例を表わす図である。
【図２】図２は無線通信システムの構成例を表わす図である。
【図３】図３は無線基地局装置の構成例を表わす図である。
【図４】図４は端末装置の構成例を表わす図である。
【図５】図５は無線基地局装置における動作例を表わすフローチャートである。
【図６】図６（Ａ）及び図６（Ｂ）は無線リソースの割り当て例を表わす図である。
【図７】図７（Ａ）及び図７（Ｂ）は無線リソースの割り当て例を表わす図である。
【図８】図８（Ａ）〜図８（Ｄ）は無線リソースの割り当て例を表わす図である。
【図９】図９は無線リソースの割り当て範囲の例を表わす図である。
【図１０】図１０（Ａ）〜図１０（Ｃ）は無線リソースの割り当て例を表わす図である。
【図１１】図１１（Ａ）及び図１１（Ｂ）はデフォルト用無線リソースの割り当て例を表わす図である。
【図１２】図１２は無線通信システムの動作例を表わすシーケンス図である。
【図１３】図１３はアクセス制御方法の動作例を表わすフローチャートである。
【図１４】図１４は無線リソースの割り当て例を表わす図である。
【図１５】図１５は無線リソースの割り当て例を表わす図である。
【図１６】図１６は無線通信システムの構成例を表わす図である。
【図１７】図１７は干渉の例を説明するための図である。
【発明を実施するための形態】
【００２１】
以下、本実施の形態について図面を参照して詳細に説明する。
【００２２】
［第１の実施の形態］
図１は第１の実施の形態における無線通信システム１０の構成例を表わす図である。無線通信システム１０は、第１及び第２の無線基地局装置１００−１，１００−２と、第１から第３の端末装置２００−１〜２００−３を備える。例えば、第１の端末装置２００−１と第２の端末装置２００−２は第１の無線基地局装置１００−１のサービスエリア内に位置し、第３の端末装置２００−３は第２の無線基地局装置１００−２のサービスエリア内に位置する。
【００２３】
第１の端末装置２００−１と第２の端末装置２００−２は、第１の無線基地局装置１００−１を介さずに互いに無線通信を行うことができる。また、第３の端末装置２００−３も、第２の無線基地局装置１００−２を介さずに無線通信を行うことができる。第１及び第２の端末装置２００−１，２００−２は第１の無線基地局装置１００−１と無線通信を行うこともできるし、第３の端末装置２００−３は第２の無線基地局装置１００−２と無線通信を行うことができる。
【００２４】
第１の無線基地局装置１００−１は、無線リソース制御部１７０と第１の送信部１７１を備える。
【００２５】
無線リソース制御部１７０は、第１の端末装置２００−１が第１の無線基地局装置１００−１を介さずに第２の端末装置２００−２と第２の無線通信を行うとき、第１の端末装置２００−１が第１の無線基地局装置１００−１を介して第１の無線通信を行うときに割り当てられる第１の無線リソースＲ１に対して第２の無線リソースＲ２を第１の端末装置２００−１に割り当てる。
【００２６】
第１の送信部１７１は、第２の無線リソースＲ２の割り当て情報を第１の端末装置２００−１に送信する。
【００２７】
第１の端末装置２００−１は、第２の無線リソースＲ２の割り当て情報を受信する受信部２７０を備える。
【００２８】
ここで、無線リソース制御部１７０により割り当てられる第２の無線リソースＲ２については、第２の無線基地局装置１００−２において第３の端末装置２００−３が第２の無線通信を行うときに割り当てられる第３の無線リソースＲ３と同一又は一部が重複する。
【００２９】
例えば、第２の無線リソースＲ２と第３の無線リソースＲ３とが同一の場合、第１の無線基地局装置１００−１が第１の端末装置２００−１に割り当てる無線リソースと、第２の無線基地局装置１００−２が第３の端末装置２００−３に割り当てる無線リソースとが同一となる。
【００３０】
従って、第２の無線基地局装置１００−２と第３の端末装置２００−３との基地局端末間通信において用いられる無線リソースと、第１の端末装置２００−１が第２の無線通信において用いる無線リソースとは異なるものになる。
【００３１】
よって、このような無線リソースの割り当てにより、第１の端末装置２００−１における第２の無線通信と、第２の無線基地局装置１００−２における基地局端末間通信とは、無線信号が相互に影響を与えず、干渉を回避させることができる。
【００３２】
一方、第２の無線リソースＲ２と第３の無線リソースＲ３とにおいて一部が重複している場合、重複している部分については上記したように、２つの通信間で干渉を回避させることはできる。
【００３３】
かかる場合において、重複していない無線リソースについては、例えば、第１の無線基地局装置１００−１は、第１の端末装置２００−１との距離が閾値以下のときに、第１の端末装置２００−１が第２の無線通信を行うための無線リソースとして第２の無線リソースＲ２を割り当てる。第１の無線基地局装置１００−１と第１の端末装置２００−１との距離が閾値以下のときに第１の端末装置２００−１が第２の端末装置２００−２と第２の無線通信を行っても、第１の端末装置２００−１から送信される無線信号は第２の無線基地局装置１００−２に届かない。
【００３４】
よって、この場合でも、第１の端末装置２００−１における第２の無線通信と、第２の無線基地局装置１００−２における基地局端末間通信とは、無線信号が相互に影響を与えず、干渉を回避させることができる。
【００３５】
以上から、例えば、第１の無線基地局装置１００−１は第２の無線リソースＲ２と第３の無線リソースＲ３と同一又は一部が重複するように第２の無線リソースＲ２を割り当てることで、干渉を回避させることができる。
【００３６】
また、第１の無線基地局装置１００−１のサービスエリア範囲外で第１の端末装置２００−１が第２の無線通信を行うときに、第１の無線基地局装置１００−１は、第１の無線リソースＲ１又は第２の無線リソースＲ２内において、第２の無線通信を行うための無線リソースを割り当てる。
【００３７】
第１の端末装置２００−１が第１の無線基地局装置１００−１のサービスエリア範囲外に移動したとき、当該無線リソースを用いて第２の無線通信を行うことで、干渉を回避させることができる。例えば、第１の端末装置２００−１が第１の無線基地局装置１００−１のサービスエリア範囲外に移動すると、第１の端末装置２００−１から送信された無線信号は第１の無線基地局装置１００−１に届かない。従って、第１の無線基地局装置１００−１における基地局端末間通信と、第１の端末装置２００−１における第２の無線通信との間においては干渉を回避させることができる。
【００３８】
さらに、第１の無線基地局装置１００−１と第１の端末装置２００−１は、第２の無線リソースＲ２の割り当てに際して、制御信号を交換することを行わない。よって、制御信号の交換により第１の無線基地局装置１００−１と第１の端末装置２００−１で処理を行う場合と比較して、第１の無線基地局装置１００−１と第１の端末装置２００−１はかかる処理を行わないため、複雑な処理を行うことなく第２の無線通信を行うことができる。
【００３９】
［第２の実施の形態］
次に第２の実施の形態について説明する。
【００４０】
＜無線通信システムの構成例＞
最初に第２の実施の形態における無線通信システムの構成例について説明する。
【００４１】
図２は第２の実施の形態における無線通信システム１０の構成例を表わす図である。無線通信システム１０は、無線基地局装置（以下、「基地局」と称する場合がある）１００−１，１００−２と、端末装置（以下、「端末」と称する場合がある）２００−１〜２００−３とを備える。
【００４２】
基地局１００−１，１００−２は、端末２００−１〜２００−３と無線接続して無線通信を行う無線通信装置である。また、基地局１００−１，１００−２は、１又は複数のセル範囲内において、端末２００−１〜２００−３に対して音声通信や映像配信などの種々のサービスを提供できる。さらに、基地局１００−１，１００−２は、端末２００−１〜２００−３がＤ２Ｄ通信を行うときに利用される無線リソースの割り当ても行う。その詳細は後述する。  
【００４３】
端末２００−１〜２００−３は、基地局１００−１，１００−２と各々無線接続して、無線通信を行う無線通信装置である。また、端末２００−１〜２００−３は、互いにＤ２Ｄ通信を行うこともできる。端末２００−１〜２００−３は、例えば、携帯電話機や情報携帯端末装置などである。
【００４４】
図２の例では、２つの端末２００−１，２００−２がＤ２Ｄ通信を行い、端末２００−３が基地局１００−２と無線通信を行っている。ただし、Ｄ２Ｄ通信を行っている端末２００−１，２００−２は、各基地局１００−１，１００−２のサービスエリア（又は通信範囲）において、各基地局１００−１，１００−２と無線通信を行うこともできる。また、端末２００−３についても、他の端末２００−１，２００−２と各々Ｄ２Ｄ通信を行うことができる。    
【００４５】
なお、図２において、「Ｍａｃｒｏ  ｃｅｌｌ＃１」、「Ｍａｃｒｏ  ｃｅｌｌ＃２」と表記されているがとくに断らない限り、「Ｍａｃｒｏ  ｃｅｌｌ＃１」、「Ｍａｃｒｏ  ｃｅｌｌ＃２」を基地局１００−１、基地局１００−２とそれぞれ称する場合がある。
【００４６】
また、基地局１００−１，１００−２についても、とくに断らない限り、基地局１００と称する場合がある。端末２００−１〜２００−３についても、とくに断らない限り、端末２００と称する場合がある。
【００４７】
さらに、基地局１００から端末２００への通信リンクを下り通信リンク（ＤＬ：Down Link）、端末２００から基地局への通信リンクを上り通信リンク（ＵＬ：Up Link）と称する場合がある。
【００４８】
また、図２の例において、２つの基地局１００−１，１００−２の例を示しているが、１つの基地局でもよいし、３つ以上の基地局が存在してもよい。端末についても、図２の例では、３台の例を示しているが、１又は２台、或いは４台以上の端末が存在してもよい。
【００４９】
ここで、Ｄ２Ｄ通信とは、例えば、端末２００が基地局１００を介さず直接、他の端末との間で行う無線通信のことである。Ｄ２Ｄ通信は、例えば、３ＧＰＰにおいては、Ｄｅｖｉｃｅ  ｔｏ  ｄｅｖｉｃｅ通信と表記されるが、本第２の実施の形態を含む他の実施の形態においては、Ｄｅｖｉｃｅ  ｔｏ  Ｄｅｖｉｃｅ通信をＤ２Ｄ通信と表記して説明することにする。
【００５０】
＜無線基地局装置＞
次に第２の実施の形態における基地局１００の構成例について説明する。
【００５１】
図３は基地局１００の構成例を表わす図である。基地局１００は、パケット生成部１０１、ＭＡＣ（Media Access Scheduling）スケジューリング部１０２、符号化部１０３、変調部１０４、多重化部１０５、ＩＦＦＴ（Inverse
Fast Fourier Transform）部１０６、無線処理部１０７、アンテナ１０８、無線リソース制御部１１０、ＭＡＣ制御部１１１を備える。さらに、基地局１００は、アンテナ１１５、無線処理部１１６、ＦＦＴ（Fast
Fourier Transform）部１１７、復調部１１８、復号化部１１９、ＭＡＣ，ＲＬＣ（Radio Link Control）部１２０を備える。
【００５２】
なお、第１の実施の形態における無線リソース制御部１７０は、例えば、無線リソース制御部１１０に対応する。また、第１の実施の形態における第１の送信部１７１は、例えば、パケット生成部１０１、ＭＡＣスケジューリング部１０２、符号化部１０３、変調部１０４、多重化部１０５、ＩＦＦＴ部１０６、無線処理部１０７、及びアンテナ１０８に対応する。
【００５３】
パケット生成部１０１は、ユーザデータと、無線リソース制御部１１０から出力されたＤ２Ｄ用リソース情報とに対して、ユーザデータとＤ２Ｄ用リソース情報を含む送信パケットを生成する。ユーザデータは、例えば、音声データや映像データなどである。また、Ｄ２Ｄ用リソース情報は、例えば、無線リソース制御部１１０により割り当てられたＤ２Ｄ通信用の無線リソース情報である。Ｄ２Ｄ用リソース情報の詳細は後述する。パケット生成部１０１は、送信パケットとして、例えばＭＡＣパケットなどを生成する。
【００５４】
ＭＡＣスケジューリング部１０２は、ＭＡＣ制御部１１１からの指示に基づいて、パケット生成部１０１から出力されたユーザデータやＤ２Ｄリソース情報をスケジューリングする。また、ＭＡＣスケジューリング部１０２は、ＭＡＣ制御部１１１から出力された制御情報（例えばＲＲＣ（Radio Resource Control）制御情報やＭＡＣ−ＣＥ（Media Access Control-Control
Element））制御情報）もスケジューリングする。例えば、ＭＡＣスケジューリング部１０２は、ＰＤＳＣＨ（Physical Downlink Shared
Channel）やＰＵＳＣＨ（Physical Uplink Shared Channel）などの共有チャネルの無線リソース上にユーザデータなどを割り当てるなどして、スケジューリングを行う。ＭＡＣスケジューリング部１０２は、スケジューリングした送信パケットを符号化部１０３に出力する。
【００５５】
符号化部１０３は、送信パケット内のユーザデータなどに対して誤り訂正符号化を行う。誤り訂正符号化の符号化方式や符号化率などは、例えば、無線リソース制御部１１０で生成された無線リソースの割り当て情報（以下、「リソース割り当て情報」と称する場合がある）に含まれており、例えば、符号化部１０３は無線リソース制御部１１０からこの情報を受け取って、誤り訂正符号化を行うことができる。符号化部１０３は、符号化されたユーザデータなどを変調部１０４に出力する。
【００５６】
変調部１０４は、誤り訂正符号化されたユーザデータやＤ２Ｄリソース情報などに対して、ＱＰＳＫ（Quadrature Phase Shift Keying）や１６ＱＡＭ（Quadrature Amplitude Modulation）などの変調処理を行う。例えば、変調方式についても、リソース割り当て情報に含まれており、変調部１０４は無線リソース制御部１１０から割り当て情報を受け取って、変調処理を行うことができる。変調部１０４は、変調後の送信パケットを多重化部１０５に出力する。
【００５７】
多重化部１０５は、変調部１０４からの出力と、ＭＡＣ制御部１１１から出力された個別制御情報とを多重化し、多重化信号をＩＦＦＴ部１０６に出力する。また、多重化部１０５は、無線リソース制御部１１０から報知情報を入力し、報知情報も多重化して、多重化信号をＩＦＦＴ部１０６に出力する。
【００５８】
例えば、個別制御情報は、無線リソースの割り当て情報を含み、ＰＤＣＣＨ（Physical Downlink Control Channel）チャネルなどの制御チャネルを利用して、制御信号として端末２００に送信される。また、報知情報は、例えば、ＢＣＨ（Broadcast
Channel）チャネルを利用して、ブロードキャストで配下の端末２００に送信される。なお、報知情報には、例えば、無線リソース制御部１１０により割り当てられたＤ２Ｄリソース情報が含まれる場合もある。詳細は後述する。
【００５９】
ＩＦＦＴ部１０６は、多重化部１０５からの出力に対して、逆高速フーリエ変換処理を行い、周波数領域の多重化信号を時間領域の多重化信号に変換する。ＩＦＦＴ部１０６は、時間領域の多重化信号を無線処理部１０７に出力する。
【００６０】
無線処理部１０７は、ベースバンド帯域の多重化信号を無線帯域の無線信号に変換し、無線信号をアンテナ１０８に出力する。そのため、無線処理部１０７は、例えば、デジタル・アナログ変換回路や、周波数変換回路などの各種回路などを含んでもよい。
【００６１】
アンテナ１０８は、無線処理部１０７から出力された無線信号を端末２００に送信する。これにより、ユーザデータやＤ２Ｄリソース情報などが端末２００に送信される。
【００６２】
無線リソース制御部１１０は、基地局１００配下の端末２００に対する下りリンク通信や上りリンク通信に対する無線リソース（例えば周波数と時間）の割り当てを行う。このとき、無線リソース制御部１１０は、Ｄ２Ｄ通信に対する無線リソースの割り当てを行う。例えば、無線リソース制御部１１０は、他の基地局において割り当てられたＤ２Ｄ用リソース情報や端末２００から送信されたフィードバック情報などに基づいて、Ｄ２Ｄ用リソースを割り当てることができる。
【００６３】
なお、端末２００がＤ２Ｄ通信を行うときに用いる無線リソースを、例えば、「Ｄ２Ｄ用リソース」と称し、Ｄ２Ｄ用リソースに関する無線リソース情報を、例えば、「Ｄ２Ｄ用リソース情報」と称する場合がある。
【００６４】
無線リソース制御部１１０は、リソース割り当て情報をＭＡＣ制御部１１１に出力する。また、無線リソース制御部１１０は、リソース割り当て情報のうち、Ｄ２Ｄ用リソース情報をパケット生成部１０１に出力することもできるし、多重化部１０５に出力することもできる。
【００６５】
ＭＡＣ制御部１１１は、例えば、Ｄ２Ｄ用ソース情報以外のリソース割り当て情報を含む個別制御情報を生成し、多重化部１０５に出力する。また、ＭＡＣ制御部１１１は、ＭＡＣスケジューリング部１０２に対して、リソース割り当て情報に従ってスケジューリングを行うよう指示を出力する。ＭＡＣ制御部１１１は、生成した制御情報をＭＡＣスケジューリング部１０２に出力することもできる。
【００６６】
一方、アンテナ１１５は、端末２００から送信された無線信号を受信する。
【００６７】
無線処理部１１６は、アンテナ１１５で受信した無線帯域の無線信号をベースバンド帯域の受信信号に変換する。そのため、無線処理部１１６は、例えば、アナログ・デジタル変換回路や周波数変換回路などの各種回路を含んでもよい。
【００６８】
ＦＦＴ部１１７は、無線処理部１１６から出力された受信信号に対して、高速フーリエ変換を行うことで、時間領域の受信信号を周波数帯域の受信信号に変換する。ＦＦＴ部１１７は、高速フーリエ変換後の受信信号を復調部１１８に出力する。
【００６９】
復調部１１８は、受信信号に対して復調処理を行う。復調方式は、例えば、端末２００が送信した無線信号に対する変調方式に対応する。例えば、復調部１１８は、無線リソース制御部１１０からリソース割り当て情報を受け取り、リソース割り当て情報に含まれる変調方式などに従って無線信号を復調する。
【００７０】
復号化部１１９は、復調された受信信号に対して誤り訂正復号化を行う。誤り訂正復号化方式や復号化率などは、例えば、無線リソース制御部１１０から受け取ったリソース制御情報に含まれ、復号化部１１９はこの誤り訂正復号化方式などに従って、誤り訂正復号化を行う。
【００７１】
ＭＡＣ，ＲＬＣ部１２０は、復号化後の受信信号からユーザデータや、フィードバック情報などを抽出する。例えば、ＭＡＣ，ＲＬＣ部１２０は、抽出したユーザデータを上位制御装置に送信し、フィードバック情報などを無線リソース制御部１１０に出力する。
【００７２】
＜端末装置の構成例＞
次に端末２００の構成例について説明する。
【００７３】
図４は端末２００の構成例を表わす図である。端末２００は、アンテナ２０１、無線処理部２０２、ＦＦＴ部２０３、制御チャネル復調部２０４、復調部２０５、制御情報処理部２０６、Ｄ２Ｄ通信制御部２０７、メッセージ生成部２０８を備える。さらに、端末２００は、データ処理部２１０、スケジューリング部２１１、シンボルマッピング部２１２、多重化部２１３、ＦＦＴ部２１４、周波数マッピング部２１５、ＩＦＦＴ部２１６、無線処理部２１７を備える。
【００７４】
なお、第１の実施の形態における受信部２７０は、例えば、アンテナ２０１、無線処理部２０２、ＦＦＴ部２０３、制御チャネル復調部２０４、復調部２０５に対応する。
【００７５】
アンテナ２０１は、基地局１００から送信された無線信号を受信して無線処理部２０２に出力する。また、アンテナ２０１は、無線処理部２１７から出力された無線信号を基地局１００に送信する。さらに、アンテナ２０１は、Ｄ２Ｄ通信を行う他の端末から送信された無線信号を受信して無線処理部２０２に出力し、無線処理部２１７から出力された無線信号を、Ｄ２Ｄ通信を行う他の端末に送信することもできる。
【００７６】
無線処理部２０２は、無線帯域の無線信号をベースバンド帯域の受信信号に変換する。そのため、無線処理部２０２においても、アナログ・デジタル変換回路や周波数変換回路などの各種回路を含んでもよい。
【００７７】
ＦＦＴ部２０３は、無線処理部２０２から出力された受信信号に対して、高速フーリエ変換を行うことで、時間領域の受信信号を周波数領域の受信信号に変換する。
【００７８】
制御チャネル復調部２０４は、ＰＤＣＣＨなどの制御チャネルを利用して送信された制御信号を復調する。この際、制御チャネル復調部２０４は、基地局１００から送信されたＲＮＴＩ情報（例えばＭＡＣ−ＣＥ制御情報に含まれる）と一致する制御信号を抽出することで、自局に対する制御信号を抽出することができる。復調後の制御信号には、リソース割り当て情報が含まれる。制御チャネル復調部２０４は、例えば、下り通信リンクのリソース割り当て情報を復調部２０５に出力し、上り通信リンクのリソース割り当て情報をスケジューリング部２１１に出力する。
【００７９】
復調部２０５は、ＦＦＴ部２０３から出力された受信信号に対して復調処理を行う。復調方式は、例えば、リソース割り当て情報に含まれており、復調部２０５は制御チャネル復調部２０４から出力されたリソース割り当て情報に含まれる復調方式に従って、復調処理を行う。また、復調部２０５は復調後の受信信号に対して、誤り訂正復号化処理を行うことができ、リソース割り当て情報に含まれる誤り訂正復号化方式や復号化率などに従って、誤り訂正復号化処理を行う。復調部２０５は、復号されたデータを他の処理部に出力し、Ｄ２Ｄリソース情報や報知情報などを制御情報処理部２０６に出力する。
【００８０】
なお、Ｄ２Ｄ通信においては、例えば、端末間で信号を交換することで、端末２００は変調方式や符号化率などを決定することができる。この場合、復調部２０５は、決定した変調方式や符号化率などに従って、復調や復号化を行う。変調方式の決定などは、例えば、Ｄ２Ｄ通信制御部２０７で行うことができる。例えば、Ｄ２Ｄ通信制御部２０７は、決定した変調方式などを復調部２０５に出力して復調処理などを行ったり、制御情報（例えば、ＲＲＣ制御情報又はＭＡＣ−ＣＥ制御情報）として、スケジューリング部２１１などを介して他の端末に送信することもできる。
【００８１】
制御情報処理部２０６は、復調部２０５の出力から各種制御情報を抽出する。例えば、制御情報処理部２０６は、復調部２０５の出力からＲＮＴＩ情報を抽出し、制御チャネル復調部２０４に出力する。また、例えば、制御情報処理部２０６は、復調部２０５の出力からＤ２Ｄリソース情報を抽出し、Ｄ２Ｄ通信制御部２０７に出力する。
【００８２】
Ｄ２Ｄ通信制御部２０７は、Ｄ２Ｄリソース情報に基づいて、Ｄ２Ｄリソースとして割り当てられた無線リソースを認識し、当該無線リソースを用いて他の端末との間でＤ２Ｄ通信を行うよう制御する。例えば、Ｄ２Ｄ通信制御部２０７は、Ｄ２Ｄリソース情報をスケジューリング部２１１に出力することで、割り当てられたＤ２Ｄ用リソースを用いて、Ｄ２Ｄ通信が行われるように制御することができる。また、Ｄ２Ｄ通信制御部２０７は、Ｄ２Ｄ通信を行う場合に他の端末との間で交換されるメッセージの生成をメッセージ生成部２０８に指示することもできる。
【００８３】
メッセージ生成部２０８は、Ｄ２Ｄ通信制御部２０７の指示に従って、各種メッセージを生成する。メッセージ生成部２０８は、生成したメッセージをスケジューリング部２１１に出力する。メッセージ生成部２０８で生成されるメッセージの例は後述する。
【００８４】
データ処理部２１０は、ユーザデータに対して、圧縮符号化などの各種処理を行う。データ処理部２１０は処理後のデータをスケジューリング部２１１に出力する。
【００８５】
スケジューリング部２１１は、制御チャネル復調部２０４から出力された上りリソース割り当て情報（又はＰＤＣＣＨ制御情報）に基づいて、データ処理部２１０から出力されたデータを、ＰＵＳＣＨなどの共有チャネルの無線リソース上に割り当てるなどしてスケジューリングを行う。また、スケジューリング部２１１は、Ｄ２Ｄ用リソース情報に基づいて、データ処理部２１０から出力されたデータを、Ｄ２Ｄ用リソース上に割り当てるなどのスケジューリングを行う。さらに、スケジューリング部２１１は、Ｄ２Ｄ用リソース情報に基づいて、メッセージ生成部２０８から出力されたメッセージを、Ｄ２Ｄ用リソースに割り当てるなどのスケジューリングを行う。スケジューリング部２１１は、スケジューリングしたデータやメッセージなどをシンボルマッピング部２１２に出力する。
【００８６】
シンボルマッピング部２１２は、スケジューリングしたデータやメッセージなどに対して、ＱＰＳＫや１６ＱＡＭなどの変調処理を行う。
【００８７】
なお、基地局１００に送信されるデータに対する変調方式などは、ＰＤＣＣＨ制御情報に含まれるため、シンボルマッピング部２１２は、スケジューリング部２１１から出力されたＰＤＣＣＨ制御情報に基づいて変調処理を行うことができる。
【００８８】
また、Ｄ２Ｄ通信で送信されるデータやメッセージなどに対する変調方式などに関する情報（例えばＭＣＳ（Modulation and Coding Scheme））は、Ｄ２Ｄ通信制御部２０７で決定される場合、Ｄ２Ｄ通信制御部２０７からスケジューリング部２１１を介して、シンボルマッピング部２１２に入力される。一方、他の端末において決定された変調方式に関する情報は、制御情報（例えばＲＲＣ制御情報など）として、端末２００に入力される。この変調方式などに関する情報は、制御情報処理部２０６とスケジューリング部２１１などを介して、シンボルマッピング部２１２に入力される。いずれの場合においても、シンボルマッピング部２１２は、スケジューリング部２１１から出力された変調方式に関する情報に基づいて、変調処理を行う。
【００８９】
多重化部２１３は、パイロット信号とシンボルマッピング部２１２からの出力信号とを多重化して、多重化信号として出力する。パイロット信号には、例えば、端末２００と基地局１００とで既知のプリアンブルパターンが含まれる。
【００９０】
ＦＦＴ部２１４は、多重化部２１３から出力された多重化信号に対して、高速フーリエ変換を行い、時間領域の多重化信号を周波数領域の多重化信号に変換する。
【００９１】
周波数マッピング部２１５は、ＦＦＴ部２１４から出力された周波数領域の多重化信号に対して、所定の周波数帯域にマッピングする処理を行う。例えば、周波数マッピング部２１５は、端末２００に割り当てられた周波数帯域に対して多重化信号をマッピングし、それ以外の周波数帯域に「０」をマッピングする。このような処理は、例えば、サブキャリアマッピングと呼ばれることがある。周波数マッピング部２１５は、マッピングされた多重化信号を含む信号をＩＦＦＴ部２１６に出力する。
【００９２】
ＩＦＦＴ部２１６は、周波数マッピング部２１５からの出力信号に対して、逆高速フーリエ変換処理を行うことで、周波数領域の出力信号を時間領域の出力信号に変換する。
【００９３】
無線処理部２１７は、ＩＦＦＴ部２１６から出力された出力信号に対して、無線帯域の無線信号に変換し、変換後の無線信号をアンテナ２０１に出力する。そのため、無線処理部２１７は、例えば、デジタル・アナログ変換回路や周波数変換回路などの各種回路を含む。なお、無線処理部２１７から出力される無線信号は、例えば、シングルキャリア信号としてアンテナ２０１を介して基地局１００やＤ２Ｄ通信を行う他の端末に送信される。
【００９４】
＜Ｄ２Ｄ用リソースの割り当て動作の例＞
次に、基地局１００において行われるＤ２Ｄ用リソースの割り当て動作の例について説明する。図５はＤ２Ｄ用リソースの割り当て動作の例を表わすフローチャートである。本第２の実施の形態では、例えば、干渉などの問題を考慮して、基地局１００がＤ２Ｄ用リソースの割り当てを行うようにしている。
【００９５】
基地局１００は、処理を開始すると（Ｓ１０）、周辺セル情報を受信する（Ｓ１１）。例えば、無線リソース制御部１１０は、周辺セル情報として、他の基地局から送信された他の基地局のＤ２Ｄ用リソース情報を受信する。
【００９６】
次いで、基地局１００は、周辺セル情報に基づいて、Ｄ２Ｄ用リソースサイズを決定し、Ｄ２Ｄ用リソースの割り当てを行う（Ｓ１２）。Ｄ２Ｄ用リソースの割り当て例について以下説明する。
【００９７】
図６（Ａ）及び図６（Ｂ）は、ＦＤＤ（Frequency
Division Duplex）方式によるＤ２Ｄ用リソースの割り当て例を表わす図である。図６（Ａ)及び図６（Ｂ)は、縦軸は周波数軸方向、横軸は時間軸方向を表わしている。図６（Ａ）は基地局１００−１、図６（Ｂ）は基地局１００−２におけるＤ２Ｄ用リソース（図中、「Ｓｈａｒｅｄ  ｒｅｓｏｕｒｃｅ  ｆｏｒ  Ｄ２Ｄ」）の割り当ての例をそれぞれ表わしている。
【００９８】
また、図６（Ａ）及び図６（Ｂ）の例では、例えば、１サブフレーム分のＤＬ用やＵＬ用の無線リソースを表わしている。この場合、基地局１００−１におけるＤＬ用の無線リソースと基地局１００−２におけるＤＬ用の無線リソースは、例えば、同一のサブフレームを表わしている。従って、基地局１００−１におけるＤＬ用の無線リソースのＤ２Ｄ用リソースと、基地局１００−２におけるＤＬ用の無線リソースのＤ２Ｄ用リソースは、同一の無線リソース（同一の時間と同一の周波数チャネル）に割り当てられている。ＵＬ用の無線リソースにおけるＤ２Ｄ用リソースについても、２つの基地局１００−１，１００−２において同一の無線リソースが割り当てられている。
【００９９】
すなわち、基地局１００−１は、基地局１００−２において下り通信リンクの無線リソースにおいて設定されたＤ２Ｄ用リソースと同一の無線リソースの領域に、自局のＤ２Ｄ用リソースを割り当てる。また、基地局１００−１は、基地局１００−２において上り通信リンクの無線リソースにおいて設定されたＤ２Ｄ用リソースと同一の無線リソースの領域に、自局のＤ２Ｄ用リソースを割り当てる。
【０１００】
このように、Ｄ２Ｄリソースについては、基地局間で共通した無線リソースが使用されることになる。これにより、Ｄ２Ｄ通信と基地局端末間通信との干渉の問題を防止することができる。以下、その理由を説明する。
【０１０１】
例えば、図６（Ａ）に示すように、基地局１００−１におけるＤ２Ｄ用リソースと、基地局端末間通信に利用する無線リソース（「ＭＵＥｓ（Macro User Equipments）」）とは重なっていない。
【０１０２】
従って、基地局１００−１配下において、Ｄ２Ｄ通信を行っている２つの端末で送受信される無線信号と、基地局１００−１と端末２００とで送受信される無線信号とは、使用する周波数チャネルが異なるため（又は無線リソースが異なるため）、干渉の問題は発生しない。
【０１０３】
例えば、図２の例において、端末２００−１，２００−２間のＤ２Ｄ通信で送受信される無線信号と、基地局１００−１配下の他の端末が基地局端末間通信を行う場合に送受信される無線信号とは、使用される無線リソースが異なるため、干渉を回避することができる。
【０１０４】
また、図６（Ａ）及び図６（Ｂ）に示すように、基地局１００−１のＤ２Ｄ用リソース（図６（Ａ）の「Ｓｈａｒｅｄ  ｒｅｓｏｕｒｃｅ  ｆｏｒ  Ｄ２Ｄ」）と、基地局１００−２における基地局端末間通信に利用される無線リソース（図６（Ｂ）の「ＭＵＥｓ」）とは重なっていない。
【０１０５】
図２の例では、端末２００−１，２００−２間のＤ２Ｄ通信で利用される周波数チャネル（例えば図６（Ａ）のＤ２Ｄ用リソース）と、基地局１００−２と端末２００−３間の基地局端末間通信で利用される周波数チャネル（例えば図６（Ｂ）の「ＭＵＥｓ」）は重ならないことになる。
【０１０６】
また、図２の例において、基地局１００−２が端末２００−１から受信する無線信号（Ｄ２Ｄ通信による無線信号）と端末２００−３から受信する無線信号（基地局端末間通信による無線信号）も、それぞれで使用される周波数チャネルは重ならない。
【０１０７】
従って、端末２００−１，２００−２間のＤ２Ｄ通信で送受信される無線信号と、基地局１００−２と端末２００−３間の基地局端末間通信で送受信される無線信号は、使用される周波数チャネルが異なるため、干渉を回避することができる。
【０１０８】
以上から、基地局１００は、周辺の基地局（例えば基地局１００−２）において設定されたＤ２Ｄ用リソースと一致する無線リソースの領域に、自局のＤ２Ｄ用リソースを割り当てることで、Ｄ２Ｄ通信と基地局端末間通信とで干渉を回避することができる。
【０１０９】
なお、Ｄ２Ｄ用リソースを周辺基地局のＤ２Ｄ用リソースと一致させるために、基地局１００は、周辺セル情報（図２のＳ１１）に含まれる周辺基地局のＤ２Ｄ用リソースに基づいて、自局のＤ２Ｄ用リソースの割り当てを行うことになる。
【０１１０】
Ｄ２Ｄ用リソースの割り当てについては種々の例があり、以下説明する。
【０１１１】
例えば、Ｄ２Ｄ用リソースは、Ｄ２Ｄ通信を行う端末間の通信トラフィック量（又は通信量）に応じて可変にすることができる。
【０１１２】
図７はＤ２Ｄ用リソースが変化した場合の無線リソースの割り当て例を表わしている図である。例えば、基地局１００の無線リソース制御部１１０は、Ｄ２Ｄ通信を行う端末間の通信トラフィック量を算出し、算出した通信トラフィック量に応じて、Ｄ２Ｄ用リソースを変えるようにすることで実現可能である。
【０１１３】
また、Ｄ２Ｄ用リソースについては、基地局１００は周辺基地局におけるＤ２Ｄ用リソースと一部が重複する無線リソースの領域に設定することもできる。
【０１１４】
図８（Ａ）と図８（Ｂ）はＤ２Ｄ用リソース（例えばＵＬ）が基地局間で同一の領域に割り当てられた例であり、図８（Ｃ）と図８（Ｄ）はＤ２Ｄ用リソース（例えばＵＬ）の一部が基地局間で重複した領域に割り当てられた例を表わしている。
【０１１５】
Ｄ２Ｄ用リソースの一部が基地局間で重複して割り当てられる場合、重複した無線リソースの領域については、基地局間でＤ２Ｄ用の無線リソースは一致するため、上述したようにＤ２Ｄ通信と基地局端末間通信との干渉を回避することができる。
【０１１６】
しかし、例えば、図８（Ｃ）及び図８（Ｄ）に示すように、基地局１００−１は領域ＡにおいてＤ２Ｄ用リソースを割り当て、基地局１００−２は領域Ａと同一の無線リソースである領域Ｂにおいて基地局端末間通信用の無線リソースを割り当てる場合がある。
【０１１７】
この場合、領域Ａと領域Ｂにおいて、無線リソース（例えば周波数チャネル）が重なっているため、Ｄ２Ｄ通信と基地局端末間通信とで干渉が発生する場合がある。例えば、領域ＡのＤ２Ｄ用リソースを用いてＤ２Ｄ通信を行う端末２００−１から送信された無線信号と、領域Ｂにおいて基地局１００−２から端末２００−３宛てに送信された無線信号とが干渉する場合がある（例えば図２）。
【０１１８】
このような場合、基地局１００は重複していない領域（例えば領域Ａ）の無線リソースについては、送信電力制御を行うことで干渉を回避させることができる。
【０１１９】
図９は送信電力制御の例を説明するための図である。例えば、基地局１００−１は、領域Ａの無線リソースについては、基地局１００−１からの距離が閾値よりも近い距離において、Ｄ２Ｄ通信を行う端末２００−１（又は端末２００−２）に割り当てるようにする。そして、領域Ａの無線リソースを割り当てられた端末２００−１は、例えば、それ以外の領域のＤ２Ｄ用リソースを割り当てられた場合に用いる送信電力よりも低い（或いは最小限度の）送信電力でＤ２Ｄ通信を行う。例えば、端末２００−１が送信電力制御を行うことで、端末２００−１から送信された無線信号は基地局１００−２まで届かないことになる。よって、送信電力制御により、基地局１００−１と端末２００−３間の基地局端末間通信に影響を及ぼさないようにすることができ、干渉を回避することができる。
【０１２０】
一方、２つの端末２００−１，２００−２が２つの基地局１００−１，１００−２のサービスエリア範囲内でそれぞれ跨ってＤ２Ｄ通信を行っているとき（例えば図２）、基地局１００−１は重複した領域の無線リソースを端末２００−１（又は端末２００−２）に割り当てることもできる。Ｄ２Ｄリソースについて周辺基地局のＤ２Ｄリソースと一部が重複しているときに、基地局１００が重複した領域の無線リソースを割り当てることで、基地局端末間通信と干渉なく、Ｄ２Ｄ通信を行わせることができる。
【０１２１】
このように、基地局１００は、Ｄ２Ｄ用リソースとして、基地局間で同一の無線リソース又は一部が重複する無線リソースを割り当てることで、例えば、Ｄ２Ｄ通信と基地局端末間通信との間で干渉を回避することができる。
【０１２２】
この場合、基地局１００はＤ２Ｄ通信を行う端末２００−１，２００−２との間で、Ｄ２Ｄ用リソースの割り当てを受けるために制御情報の交換を行うこともない。従って、基地局１００や端末２００−１，２００−２では、制御情報の交換による複雑な処理を行うことがなく、端末２００−１，２００−２はＤ２Ｄ通信を行うこともできる。
【０１２３】
また、Ｄ２Ｄ用リソースの割り当てについて、Ｄ２Ｄ用リソースの設定を行うサブフレームを限定させることもできる。これにより、無線リソースの割り当てについて、ＴＤＤ（Time Division Duplex）による設定と併用させることも可能である。
【０１２４】
図１０（Ａ）〜図１０（Ｃ）は、１無線フレーム分の無線リソースの割り当て例を表わす図である。図１０（Ａ）はすべてのサブフレームにおいて、Ｄ２Ｄ用リソースが割り当てられている例を示している。
【０１２５】
一方、図１０（Ｂ）や図１０（Ｃ）に示すように、基地局１００は、あるサブフレームについてはＤ２Ｄ用リソースを割り当て、それ以外のサブフレームについてはＤ２Ｄ用リソースを割り当てないようにすることもできる。この場合において、基地局１００は、あるサブフレームについてはサブフレーム全体をＤ２Ｄ用リソースとして割り当てることもできる（例えば図１０（Ｂ））。
【０１２６】
図１０（Ｂ）や図１０（Ｃ）の例の場合、基地局１００は、周辺基地局においてＤ２Ｄ用リソースが割り当てられたサブフレームにおいて、自局のＤ２Ｄ用リソースを割り当てるようにする。
【０１２７】
さらに、本実施の形態においては、端末２００が基地局１００のサービスエリア外に移動したときでもＤ２Ｄ通信を行うことができるよう、基地局１００は無線リソースを設定することもできる。
【０１２８】
図１１は、基地局１００のサービスエリア外に移動したときにＤ２Ｄ通信に利用される無線リソースの割り当て例である。このような無線リソースを、例えば、「デフォルトの無線リソース」と称する場合がある。
【０１２９】
デフォルトの無線リソースは、例えば、任意の無線リソース（例えば周波数チャネル）に設定されることが可能である。デフォルトの無線リソースと基地局端末間通信に利用される無線リソースとが重複しても、Ｄ２Ｄ通信を行う端末２００は、基地局１００のサービスエリア外に位置するため、Ｄ２Ｄ通信の無線信号と基地局端末間通信の無線信号は干渉しないからである。
【０１３０】
例えば、基地局１００は、Ｄ２Ｄ通信を行う一方の端末２００−１にＤＬ用の無線リソースに設定したデフォルト用の無線リソースを割り当て、Ｄ２Ｄ通信を行う他方の端末２００−２にＵＬ用の無線リソースに設定したデフォルトの無線リソースを割り当てる。
【０１３１】
この場合、基地局１００は、例えば、Ｄ２Ｄ用無線リソースと同様に、周辺基地局において割り当てたデフォルトの無線リソースと同一又は一部が重複する無線リソースに、デフォルトの無線リソースを割り当てることができる。これにより、例えば、Ｄ２Ｄ通信を行う端末２００は、どの基地局１００からでも同一又は一部が重複した無線リソースが割り当てられ、そのような無線リソースを用いてＤ２Ｄ通信を行うことが可能となる。従って、端末２００は処理がどの基地局１００配下か、によって利用する無線リソースが異なることもなく、複雑な処理を行うことなく、基地局１００のサービスエリア外でＤ２Ｄ通信を行うことができる。
【０１３２】
このように、基地局１００は、Ｄ２Ｄ用リソースを端末２００に割り当て、更にデフォルトの無線リソースを端末２００に割り当てることで、Ｄ２Ｄ通信を行う端末２００が基地局１００のサービスエリア内に位置するか否かに拘わらず、端末２００はＤ２Ｄ通信を行うことができる。Ｄ２Ｄ通信を行う端末２００は、基地局１００のサービスエリア内では、Ｄ２Ｄ用リソースを利用し、サービスエリア外ではデフォルトの無線リソースを利用することで、Ｄ２Ｄ通信と基地局端末間通信との干渉を回避することができる。
【０１３３】
図５に戻り、基地局１００は、Ｄ２Ｄ用リソースを割り当てると（Ｓ１２）、Ｄ２Ｄ用リソース情報を周辺基地局に通知する（Ｓ１３）。例えば、無線リソース制御部１１０は、Ｄ２Ｄ用リソースを割り当て、周辺基地局にＤ２Ｄ用リソース情報を生成し、生成したＤ２Ｄ用リソース情報を周辺基地局に送信する。
【０１３４】
次いで、基地局１００は、Ｄ２Ｄ用リソース情報を、Ｄ２Ｄ通信を行う端末２００に通知する（Ｓ１４）。Ｄ２Ｄリソース情報の通知に関しては、例えば、ＲＲＣシグナリングにより通知を行うことができる。例えば、無線リソース制御部１１０は、Ｄ２Ｄ用リソース情報をパケット生成部１０１に出力することで、制御情報として送信することもできる。また、例えば、無線リソース制御部１１０は、Ｄ２Ｄ用リソース情報を多重化部１０５に出力して、報知情報として送信することもできる。一方、デフォルトの無線リソースに関する情報（以下、「デフォルトのリソース情報」と称する場合がある）については、基地局１００は、制御情報や報知情報として送信することもできるが、ＯＡＭ（Operation And Maintenance）により送信することもできる。例えば、無線リソース制御部１１０はデフォルトのリソース情報を含むＯＡＭセルを生成して、パケット生成部１０１に出力することで、ＯＡＭにより端末２００に送信することができる。
【０１３５】
次いで、基地局１００は、Ｄ２Ｄ用リソースのサイズを更新するか否かを決定する（Ｓ１５）。例えば、無線リソース制御部１１０は、本処理を行うときの通信トラフィックが、Ｓ１２の処理でＤ２Ｄ用リソースを割り当てたときの通信トラフィックに対して、閾値以上変化しているとき、Ｄ２Ｄ用リソースのサイズを更新することを決定する。例えば、基地局１００は、フィードバック情報として、端末２００からバッファ状態に関する指標（又はＩｎｄｉｃａｔｏｒ）を受信する。無線リソース制御部１１０は、例えば、この指標から算出した値を通信トラフィック量として計算し、Ｓ１２の処理と本処理の各時点における変化量が閾値以上変化しているか否かにより、サイズ更新の有無を決定することができる。
【０１３６】
基地局１００は、Ｄ２Ｄ用リソースのサイズを更新することを決定したとき（Ｓ１５でＹ）、Ｄ２Ｄ用リソースを更新する（Ｓ１６）。例えば、無線リソース制御部１１０は、Ｓ１５の時点における通信トラフィックがＳ１２の時点の通信トラフィックに対して閾値以上変化しているとき、Ｄ２Ｄ用リソースがＳ１２の時点よりも多くなるようにＤ２Ｄ用リソースを更新する。一方、例えば、無線リソース制御部１１０は、Ｓ１５の時点における通信トラフィックがＳ１２の時点の通信トラフィックに対して閾値以上変化していないとき、Ｄ２Ｄ用リソースをＳ１２の時点よりも少なくなるようにＤ２Ｄ用リソースを更新する。図７は、更新後の無線リソースの割り当て例を表わしている。
【０１３７】
図５に戻り、基地局１００は、Ｄ２Ｄ用リソースのサイズを更新しないことを決定したとき（Ｓ１５でＮ）、Ｓ１６の処理を行うことなく、Ｓ１７の処理に移行する。
【０１３８】
基地局１００は、Ｄ２Ｄ用リソースサイズを更新後（Ｓ１６）、又は、Ｄ２Ｄ用リソースサイズを更新しないことを決定したとき（Ｓ１５でＮ）、周辺セル情報を受信する（Ｓ１７）。周辺セル情報には、例えば、周辺基地局におけるＤ２Ｄ用リソース情報が含まれる。
【０１３９】
次いで、基地局１００は、周辺セル情報に基づいて、Ｄ２Ｄ用リソースの割り当てを更新するか否かを決定する（Ｓ１８）。例えば、無線リソース制御部１１０は、受信した周辺セル情報（Ｓ１７）に含まれる周辺基地局のＤ２Ｄ用リソースの割り当てが、Ｓ１１で受信した周辺基地局のＤ２Ｄ用リソースの割り当てに対して変化したか否かを判別することで決定することができる。
【０１４０】
基地局１００は、Ｄ２Ｄ用リソースの割り当てを更新することを決定したとき（Ｓ１８でＹ）、自局のＤ２Ｄ用リソースの割り当てを更新する（Ｓ１９）。例えば、無線リソース制御部１１０は、周辺基地局における変化後のＤ２Ｄ用リソースと同一の無線リソース又は一部が重複した無線リソースがＤ２Ｄ用リソースとなるように無線リソースの割り当てを行う。
【０１４１】
次いで、基地局１００は、更新後のＤ２Ｄ用リソース情報を周辺基地局に送信し、Ｄ２Ｄ通信を行う端末２００にも送信する（Ｓ２０，Ｓ２１）。例えば、無線リソース制御部１１０は、更新後のＤ２Ｄ用リソース情報を周辺基地局に送信し、更に、制御情報又は報知情報として、更新後のＤ２Ｄ用リソース情報を端末２００に送信する。
【０１４２】
次いで、基地局１００は、例えば電源を切るなどにより一連の処理を終了させるときは（Ｓ２２でＹ）、終了させ（Ｓ２３）、そうでないときは（Ｓ２２でＮ）、Ｓ１５の処理に移行し、一連の処理を繰り返す（Ｓ１５〜Ｓ２２）。
【０１４３】
一方、基地局１００は、Ｄ２Ｄ用リソースの割り当てを更新しないことを決定したとき（Ｓ１８でＮ）、Ｓ１９からＳ２１の処理を行うことなく、Ｓ２２の処理に移行する。そして、基地局１００は上述した処理を繰り返す（Ｓ１５〜Ｓ２２）。
【０１４４】
なお、基地局１００は、１組の端末２００−１，２００−２間においてＤ２Ｄ通信が行われるときは、例えば、端末２００−１に対してＤＬ用の無線リソースに含まれるＤ２Ｄ用リソースを割り当てる。また、この場合、基地局１００は、端末２００−２に対してＵＬ用の無線リソースに含まれるＤ２Ｄ用リソースを割り当てる。
【０１４５】
また、例えば、複数組の端末２００間においてＤ２Ｄ通信が行われるときは、基地局１００は、ＤＬ用の無線リソースに含まれるＤ２Ｄ用リソースを、各組の一方の端末群に共有して使用されるよう無線リソースの割り当てを行う。また、かかる場合、基地局１００は、ＵＬ用の無線リソースに含まれるＤ２Ｄ用リソースを、各組の他方の端末群に共有して使用されるよう割り当てを行う。これにより、例えば、Ｄ２Ｄ用リソースがＤ２Ｄ通信を行う複数組の端末に対して共有して使用されることになる。
【０１４６】
＜Ｄ２Ｄ通信の動作例＞
次に、Ｄ２Ｄリソースが割り当てられた端末２００において行われるＤ２Ｄ通信の例について説明する。図１２はＤ２Ｄ通信の動作例を表わすシーケンス図である。とくに、図１２は２つの端末２００−１，２００−２間においてＤ２Ｄ通信を開始する前のシーケンス例を表わしている。
【０１４７】
Ｄ２Ｄ通信においては、ＣＳＭＡ−ＣＡ（Carrier
Sense Multiple Access-Collision Avoidance：搬送波感知多重アクセス−衝突回避方式）等のアクセス制御方法が用いられる。これにより、例えば、Ｄ２Ｄ通信間の衝突回避手順の１つであって、Ｄ２Ｄ通信間における無線信号の衝突を回避することができる。
【０１４８】
図１３はこのようなアクセス制御の一例を示すフローチャートである。アクセス制御は、例えば、２つの端末２００−１，２００−２間で互いにメッセージを送信する前に、各端末２００−１，２００−２において実行される。
【０１４９】
最初に図１２について説明し、適宜、図１３を用いて説明する。
【０１５０】
端末２００−１は、基地局１００−１からＤ２Ｄ用リソース情報を受信する（Ｓ４０）。端末２００−２も、基地局１００−１からＤ２Ｄ用リソース情報を受信する（Ｓ４１）。図１２の例では、基地局１００−１は各端末２００−１，２００−２に個別にＤ２Ｄリソース情報を送信しているが、Ｄ２Ｄリソース情報を報知情報としてブロードキャストで送信してもよい。
【０１５１】
Ｄ２Ｄ用リソース情報を受信した端末２００−１は、自局の存在を周囲に知らせるため、Ａｄｖｅｒｔｉｓｅ  ｍｅｓｓａｇｅを送信するが（Ｓ４２）、その前に、例えば図１３に示すアクセス制御を行う。
【０１５２】
端末２００−１は、アクセス制御の処理を開始し（Ｓ５０）、受信したＤ２Ｄ用リソースのうち、空いている無線リソースがあるか否かを検出する（Ｓ５１，Ｓ５２）。例えば、Ｄ２Ｄ通信制御部２０７は、Ｄ２Ｄ用リソースとして割り当てられた周波数チャネルのうち、ＦＦＴ部２０３からの出力に基づいて、使用されていない周波数などを検出する。
【０１５３】
端末２００−１は、Ｄ２Ｄ用リソースのうち、空いている無線リソースがあれば（Ｓ５２でＹ）、その無線リソースを利用して、メッセージを送信する（Ｓ５３、図１２のＳ４２）。そして、端末２００−１は一連の処理を終了する（Ｓ５４）。
【０１５４】
一方、端末２００−１は、Ｄ２Ｄ用リソースのうち、空いている無線リソースがなければ（Ｓ５２でＮ）、Ｓ５１に移行して、空いている無線リソースがあるまで検出を繰り返す（Ｓ５１とＳ５２のループ）。
【０１５５】
図１２に戻り、端末２００−１は、Ｄ２Ｄ用リソースのうち、空いている無線リソースを利用して、Ａｄｖｅｒｔｉｓｅ  ｍｅｓｓａｇｅを送信する（Ｓ４２）。例えば、Ｄ２Ｄ通信制御部２０７は、空きの無線リソースを検出すると、メッセージ生成部２０８に対して、Ａｄｖｅｒｔｉｓｅ  ｍｅｓｓａｇｅの生成を指示し、これにより、メッセージ生成部２０８からＡｄｖｅｒｔｉｓｅ  ｍｅｓｓａｇｅが端末２００−２に送信される。
【０１５６】
端末２００−１は、Ａｄｖｅｒｔｉｓｅ  ｍｅｓｓａｇｅを周期的に送信する（Ｓ４２〜Ｓ４３）。端末２００−１はＡｄｖｅｒｔｉｓｅ  ｍｅｓｓａｇｅを各々送信する前に、アクセス制御（例えば図１３）を実行する。
【０１５７】
端末２００−２は、受信した複数の端末２００からのＡｄｖｅｒｔｉｓｅ  ｍｅｓｓａｇｅの中から通信したい端末２００−１を見つけたとき、端末２００−１に対して、Ｒｅｑｕｅｓｔ−ｔｏ−ｓｅｎｄ  ｍｅｓｓａｇｅを送信する（Ｓ４４）。
【０１５８】
例えば、端末２００−２のＤ２Ｄ通信制御部２０７は、制御情報処理部２０６から出力されたＡｄｖｅｒｔｉｓｅ  ｍｅｓｓａｇｅを受け取り、当該メッセージに含まれる端末２００−１の識別情報を確認し、通信したい端末２００−１であることを認識する。そして、Ｄ２Ｄ通信制御部２０７は、メッセージ生成部２０８に対して、Ｒｅｑｕｅｓｔ−ｔｏ−ｓｅｎｄ  ｍｅｓｓａｇｅの生成を指示する。これにより、Ｒｅｑｕｅｓｔ−ｔｏ−ｓｅｎｄ  ｍｅｓｓａｇｅが端末２００−２から端末２００−１に送信される。
【０１５９】
ただし、端末２００−２も当該メッセージを送信する前にアクセス制御（例えば図１３）を行って、基地局１００から割り当てられたＤ２Ｄ用リソースのうち利用されていない無線リソースを利用して、当該メッセージを送信する。
【０１６０】
端末２００−１は、自局宛てのＲｅｑｕｅｓｔ−ｔｏ−ｓｅｎｄ  ｍｅｓｓａｇｅを受信したとき、端末２００−２に対して、Ｃｌｅａｒ−ｔｏ−ｓｅｎｄ  ｍｅｓｓａｇｅを送信する（Ｓ４５）。Ｃｌｅａｒ−ｔｏ−ｓｅｎｄ  ｍｅｓｓａｇｅは、例えば、端末２００−２に対してリンク確立を許可するメッセージである。
【０１６１】
例えば、端末２００−１のＤ２Ｄ通信制御部２０７は、制御情報処理部２０６を介して、Ｒｅｑｕｅｓｔ−ｔｏ−ｓｅｎｄ  ｍｅｓｓａｇｅを受け取る。そして、Ｄ２Ｄ通信制御部２０７は、当該メッセージに含まれる端末２００−２の識別情報により、Ｄ２Ｄ送信を要求する端末２００−２を認識し、メッセージ生成部２０８に対して、Ｃｌｅａｒ−ｔｏ−ｓｅｎｄ  ｍｅｓｓａｇｅの生成を指示する。これにより、端末２００−１はＣｌｅａｒ−ｔｏ−ｓｅｎｄ  ｍｅｓｓａｇｅを送信する。なお、端末２００−１は当該メッセージを送信する前に、アクセス制御（例えば図１３）を行う。
【０１６２】
この一連のシーケンスにおいて、端末２００−１，２００−２は他の端末に対して一定期間、空き無線リソースの使用を通知することもできる。
【０１６３】
例えば、端末２００−１は、使用期間（例えば１０ｍｓなど）を示す情報をＣｌｅａｒ−ｔｏ−ｓｅｎｄ  ｍｅｓｓａｇｅに挿入して送信することで、当該メッセージを受信した他の端末は、空き無線リソースが一定期間使用されることを認識することができる。
【０１６４】
そして、端末２００−１，２００−２間において、データを送受信する（Ｓ４６）。
【０１６５】
以上により、２つの端末２００−１，２００−２は、基地局１００−１において割り当てられたＤ２Ｄ用リソースを用いて、メッセージやデータなどを送受信し、Ｄ２Ｄ通信を行うことができる。
【０１６６】
前述したように、端末２００−１，２００−２間において、送信電力制御を行うことで、干渉を更に回避させることも可能である。とくに、上述したように、Ｄ２Ｄ用リソースの一部が重複してＤ２Ｄリソースが設定された場合には有効である（例えば図９）。送信電力制御については、図１２に示すシーケンスにおいて、例えば、以下のようにして実行することができる。
【０１６７】
すなわち、端末２００−１は、Ａｄｖｅｒｔｉｓｅ  ｍｅｓｓａｇｅやＣｌｅａｒ−ｔｏ−ｓｅｎｄ  ｍｅｓｓａｇｅを送信するとき（Ｓ４２、Ｓ４５）に、送信電力を併せて通知する。端末２００−２は、Ａｄｖｅｒｔｉｓｅ  ｍｅｓｓａｇｅやＣｌｅａｒ−ｔｏ−ｓｅｎｄ  ｍｅｓｓａｇｅを受信したときの受信電力を検出する。
【０１６８】
そして、端末２００−２は、各メッセージの受信電力から、通知を受けた送信電力を減算することで、端末２００−１との間の通信リンクの伝搬損失を推定することが可能である。端末２００−２は、推定した伝搬損失から、端末２００−１に送信するデータやメッセージの送信電力を決定する。この決定した送信電力に従って、端末２００−２は、データやメッセージなどを送信することで、端末２００−１に対する最小限の送信電力での送信が可能となる。
【０１６９】
このような送信電力制御は、例えば、Ｄ２Ｄ通信制御部２０７で行うことができる。すなわち、Ｄ２Ｄ通信制御部２０７は無線処理部２０２から受信信号の受信電力を算出する。また、Ｄ２Ｄ通信制御部２０７は、復調部２０５や制御情報処理部２０６などを経由して、端末２００−１から送信されたメッセージを入力する。そして、Ｄ２Ｄ通信制御部２０７は、メッセージに含まれる送信電力を抽出し、抽出した送信電力と当該メッセージの受信電力とに基づいて、伝搬損失を推定して、送信電力を決定する。Ｄ２Ｄ通信制御部２０７は、スケジューリング部２１１を経由して、送信電力を無線処理部２１７に通知し、無線処理部２１７は通知された送信電力に従って、メッセージやデータなどを送信する。
【０１７０】
なお、端末２００−２はＲｅｑｕｅｓｔ−ｔｏ−ｓｅｎｄ  ｍｅｓｓａｇｅを送信するときに（Ｓ４４）、当該メッセージの送信電力を併せて通知し、端末２００−１はこの送信電力に基づいて、伝搬損失を推定して最小限の送信電力を決定することができる。端末２００−１はこの送信電力に従ってデータやメッセージなどを送信する。
【０１７１】
これにより、端末２００−１，２００−２間において最小限の送信電力でのＤ２Ｄ通信が可能となり、基地局端末間通信を行う端末２００や基地局１００、更には、Ｄ２Ｄ通信を行う他の端末に対して、干渉を回避することが可能となる（例えば図９）。
【０１７２】
なお、端末２００−１，２００−２は、Ｄ２Ｄ用リソースについて基地局間で一部が重複した無線リソースが設定されている場合（例えば、図８（Ｃ）及び図８（Ｄ））、重複した無線リソースを用いて、メッセージ（例えば図１２のＳ４２〜Ｓ４５）を送信することが望ましい。端末２００−１，２００−２は重複した領域の無線リソースを用いることで、Ｄ２Ｄ通信を開始するときに送受信されるメッセージについて、干渉を回避して、Ｄ２Ｄ通信を行う通信相手の端末２００−２，２００−１に通知することができるからである。
【０１７３】
＜Ｄ２Ｄ用リソースに関するその他の例＞
次に、Ｄ２Ｄ用リソースに関するその他の例について説明する。図６（Ａ）及び図６（Ｂ)などに示す無線リソースの割り当て例は、例えば、下り通信リンクと上り通信リンクで１つずつ無線リソースが割り当てられている例を表わしている。例えば、基地局１００は、複数の周波数チャネルを用いて、複数の下り通信リンク用の無線リソースを割り当て、それ以外の他の複数の周波数チャネルを用いて、複数の上り通信リンク用の無線リソースを割り当てることもできる。
【０１７４】
このように、基地局１００は、複数の周波数チャネルを用いて複数の無線リソースを割り当てる場合、複数の無線リソースの全てにＤ２Ｄ用リソースを割り当てることも可能であるが、一部の無線リソースに対してＤ２Ｄ用リソースを割り当てることも可能である。
【０１７５】
図１４は、一部の無線リソースにＤ２Ｄ用リソースが割り当てられた場合の無線リソースの割り当て例を表わす図である。基地局１００は、Ｄ２Ｄ用リソースを割り当てた無線リソース（又は周波数チャネル）の識別情報（図１４では「キャリア番号」）をＤ２Ｄリソース情報に含めて、端末２００に通知することもできる。
【０１７６】
これにより、端末２００は、複数の無線リソースが利用できる場合において、どの周波数チャネルの無線リソースを用いてＤ２Ｄ通信を行えばよいか、容易に認識することができる。この場合、端末２００は、識別情報により指定された周波数チャネルの無線リソースに含まれるＤ２Ｄリソースを用いてＤ２Ｄ通信を行うことが可能となる。
【０１７７】
このことは、デフォルト用の無線リソースについても同様である。すなわち、基地局１００は、デフォルト用の無線リソースについても、複数の周波数チャネルを用いて複数の無線リソースのすべてに対して割り当てることも可能であるが、一部の無線リソースに割り当てることも可能である。基地局１００は、一部の周波数チャネルに割り当てたとき、どの周波数チャネルの無線リソースに、デフォルト用の無線リソースを割り当てたかを表わす識別情報（図１４では「キャリア番号」）をＤ２Ｄリソース情報に含めて、端末２００に通知することができる。
【０１７８】
また、基地局１００は、複数の周波数チャネルの無線リソースを利用する場合、Ｄ２Ｄリソースが割り当てられた複数の無線リソースのうち、他と比較して、Ｄ２Ｄ用リソースが割り当てられた位置と異なる位置にＤ２Ｄ用リソースを割り当てることができる。
【０１７９】
図１５は、複数の無線リソースのうち、一部の無線リソースが他と異なる位置にＤ２Ｄリソースが割り当てられた場合の無線リソースの割り当て例を表わす図である。この場合、基地局は、他と異なる位置にＤ２Ｄリソースが割り当てられた無線リソース（又は周波数チャネル）に対する識別情報をＤ２Ｄリソース情報に含めて、端末２００に通信することができる。端末２００は、識別情報に基づいて、どの周波数チャネルの無線リソースが、他と比較して異なる位置にＤ２Ｄリソースが割り当てられたのかを容易に認識でき、当該無線リソースのＤ２Ｄリソースを用いて、Ｄ２Ｄ通信を行うことができる。
【０１８０】
なお、本第２の実施の形態では、基地局１００は周辺基地局のＤ２Ｄ用リソースと同一又は一部が重複するリソースを自局のＤ２Ｄ用リソースとして無線リソースの割り当てを行った。このような割り当てを行う基地局１００−１と周辺基地局１００−２との関係は、例えば以下のようなものとなる。
【０１８１】
例えば、図２の例では、Ｄ２Ｄ通信と基地局端末間通信との干渉が問題となるため、基地局１００−１からは、このような干渉が発生する関係にある基地局１００−２が周辺基地局となる。例えば、２つの端末２００−１，２００−２が基地局１００−１のサービスエリア範囲内の端部でＤ２Ｄ通信を行っている場合、端末２００−２から送信された無線信号が、基地局１００−２の端部で基地局端末間通信を行う端末２００−３に届く場合は、基地局１００−２が対象となる。また、かかる場合において、端末２００−１から送信された無線信号が基地局１００−２に届く場合も、基地局１００−２が周辺基地局の対象となる。
【０１８２】
従って、干渉発生の原因となる無線信号が届く場合、基地局１００−１からは基地局１００−２が周辺基地局となり、同一又は一部が重複する無線リソースを用いてＤ２Ｄ用リソースの割り当てを行う。
【０１８３】
一方、かかる場合において、端末２００−２から送信された無線信号が端末２００−３に届かず、かつ、端末２００−１から送信された無線信号が基地局１００−２に届かない場合、基地局１００−２は周辺基地局とならない。この場合、基地局１００−１は、基地局１００−２で設定されたＤ２Ｄ用リソースと同一又は一部が重複する領域を自局のＤ２Ｄ用リソースとはしないことになる。干渉の問題は発生しないからである。
【０１８４】
［その他の実施の形態］
図１６は無線通信システム１０における基地局１００と端末２００の他の構成例を表わす図である。第２の実施の形態では、図３と図４に示す基地局１００と端末２００により実施できることを述べたが、図１６に示す基地局１００と端末２００においても、第２の実施の形態における無線リソースの割り当てなどを行うことができる。
【０１８５】
基地局１００は、更に、ＲＡＭ（Random
Access Memory）１５０、ＣＰＵ（Central Processing Unit）１５１、ＤＳＰ（Digital Signal Processor）１５２を備える。また、端末２００は、更に、ＲＡＭ２５０、ＣＰＵ２５１、及びＤＳＰ２５２を備える。
【０１８６】
ＣＰＵ１５１とＤＳＰ１５２は、例えば、第２の実施の形態における、パケット生成部１０１、ＭＡＣスケジューリング部１０２、符号化部１０３、変調部１０４、多重化部１０５、ＩＦＦＴ部１０６、無線リソース制御部１１０、ＭＡＣ制御部１１１、ＦＦＴ部１１７、復調部１１８、復号化部１１９、ＭＡＣ，ＲＬＣ部１２０に対応する。
【０１８７】
ＣＰＵ１５１は、例えば、ＤＳＰ１５２に対して制御信号を出力することで、ＤＳＰ１５２は、パケット生成部１０１からＩＦＦＴ部１０６まで、無線リソース制御部１１０、ＭＡＣ制御部１１１、ＦＦＴ部１１７からＭＡＣ，ＲＬＣ部１２０までの各機能を実現することができる。その際に、ＤＳＰ１５２やＣＰＵ１５１はＲＡＭ１５０にアクセスして、データなどを適宜記憶することもできる。
【０１８８】
一方、端末２００についても、ＣＰＵ２５１とＤＳＰ２５２は、例えば、第２の実施の形態における、ＦＦＴ部２０３、制御チャネル復調部２０４、復調部２０５、制御情報処理部２０６、Ｄ２Ｄ通信制御部２０７、メッセージ生成部２０８、データ処理部２１０、スケジューリング部２１１、シンボルマッピング部２１２、多重化部２１３、ＦＦＦ部２１４、周波数マッピング部２１５、ＩＦＦＴ部２１６に対応する。
【０１８９】
ＣＰＵ２５１は、例えば、ＤＳＰ２５２に制御信号を出力することで、ＤＳＰ２５２は、ＦＦＴ部２０３からメッセージ生成部２０８、データ処理部２１０からＩＦＦ部２１６までの各機能を実現することができる。その際、ＤＳＰ２５２やＣＰＵ２５１は、ＲＡＭ２５０にアクセスして、データなどを適宜記憶することもできる。
【符号の説明】
【０１９０】
１０：無線通信システム                
１００（１００−１，１００−２）：無線基地局装置（基地局）
１０１：パケット生成部                １０２：ＭＡＣスケジューリング部
１０３：符号化部                      １０４：変調部
１０５：多重化部                      １０６：ＩＦＦＴ部
１０７：無線処理部                    １０８：アンテナ
１１０：無線リソース制御部            １１１：ＭＡＣ制御部
１１５：アンテナ                      １１６：無線処理部
１１７：ＦＦＴ部                      １１８：復調部
１１９：復号化部                      １２０：ＭＡＣ，ＲＬＣ部
１５０：ＲＡＭ                        １５１：ＣＰＵ
１５２：ＤＳＰ
２００（２００−１〜２００−３）：端末装置（端末）
２０１：アンテナ                      ２０２：無線処理部
２０３：ＦＦＴ部                      ２０４：制御チャネル復調部
２０５：復調部                        ２０６：制御情報処理部
２０７：Ｄ２Ｄ通信制御部              ２１０：データ処理部
２１１：スケジューリング部            ２１２：シンボルマッピング部
２１３：多重化部                      ２１４：ＦＦＴ部
２１５：周波数マッピング部            ２１６：ＩＦＦＴ部
２１７：無線処理部                    ２５０：ＲＡＭ
２５１：ＣＰＵ                        ２５２：ＤＳＰ
【図１】
2013179472.tif 000003
【図２】
2013179472.tif 000004
【図３】
2013179472.tif 000005
【図４】
2013179472.tif 000006
【図５】
2013179472.tif 000007
【図６】
2013179472.tif 000008
【図７】
2013179472.tif 000009
【図８】
2013179472.tif 000010
【図９】
2013179472.tif 000011
【図１０】
2013179472.tif 000012
【図１１】
2013179472.tif 000013
【図１２】
2013179472.tif 000014
【図１３】
2013179472.tif 000015
【図１４】
2013179472.tif 000016
【図１５】
2013179472.tif 000017
【図１６】
2013179472.tif 000018
【図１７】
2013179472.tif 000019
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
第１及び第２の無線基地局装置と、
第１から第３の端末装置とを備えた無線通信システムにおいて、
前記第１の無線基地局装置は、
前記第１の端末装置が前記第１の無線基地局装置を介さずに前記第２の端末装置と第２の無線通信を行うとき、前記第１の端末装置が前記第１の無線基地局装置を介して第１の無線通信を行うときに割り当てられる第１の無線リソースに対して第２の無線リソースを前記第１の端末装置に割り当てる無線リソース制御部と、
前記第２の無線リソースの割り当て情報を前記第１の端末装置に送信する第１の送信部とを備え、
前記第１の端末装置は、前記割り当て情報を前記第１の無線基地局装置から受信する受信部を備え、
前記第２の無線リソースは、前記第２の無線基地局装置において前記第３の端末装置が前記第２の無線通信を行うときに割り当てられる第３の無線リソースと同一又は一部が重複することを特徴とする無線通信システム。
【請求項２】
前記無線リソース制御部は、前記第１の端末装置が前記第１の無線基地局装置の通信範囲外において前記第２の無線通信を行うとき、前記第１の端末装置に対して、前記第１の無線リソース内又は前記第２の無線リソース内において第４の無線リソースを割り当て、
前記送信部は前記第４の無線リソースの割り当て情報を前記第１の端末装置に送信し、
前記受信部は前記割り当て情報を前記第１の無線基地局装置から受信することを特徴とする請求項１記載の無線通信システム。
【請求項３】
前記第４の無線リソースは、前記第３の端末装置が前記第２の無線基地局装置の通信範囲外において前記第２の無線通信を行うときに前記第２の無線基地局装置において割り当てられる第５の無線リソースと同一又は一部が重複することを特徴とする請求項２記載の無線通信システム。
【請求項４】
前記送信部は、前記第２の無線リソースの割り当て情報を報知情報としてブロードキャストで送信することで前記割り当て情報を前記第１の端末装置に送信することを特徴とする請求項１記載の無線通信システム。
【請求項５】
前記第２の端末装置が前記第２の無線基地局装置の通信範囲内に位置するとき、前記第２の無線リソースは前記第３の無線リソースと同一であることを特徴とする請求項１記載の無線通信システム。
【請求項６】
前記第１の端末装置は、前記第２の無線リソースを用いて前記第２の端末装置にメッセージを送信する第２の送信部を備え、
前記メッセージは、前記第２の無線通信と他の前記第２の無線通信との衝突回避手順において送受信されるメッセージであることを特徴とする請求項１記載の無線通信システム。
【請求項７】
前記無線リソース制御部は、複数の周波数チャネルのうち、任意の周波数チャネルに対して前記第２の無線リソースを割り当て、
前記送信部は、前記複数の周波数チャネルのうち、前記第２の無線リソースが割り当てられた周波数チャネルに対する識別情報を前記割り当て情報に含めて送信することを特徴とする請求項１記載の無線通信システム。
【請求項８】
第１の端末装置が前記無線基地局装置を介さずに第２の端末装置と第２の無線通信を行うとき、前記第１の端末装置が前記無線基地局装置を介して第１の無線通信を行うときに割り当てられる第１の無線リソースに対して第２の無線リソースを前記第１の端末装置に割り当てる無線リソース制御部と、
前記第２の無線リソースの割り当て情報を前記第１の端末装置に送信する送信部とを備え、
前記第２の無線リソースは、他の無線基地局装置において第３の端末装置が前記第２の無線通信を行うときに割り当てられる第３の無線リソースと同一又は一部が重複することを特徴とする無線基地局装置。
【請求項９】
端末装置が無線基地局装置を介さずに第１の端末装置と第２の無線通信を行うとき、前記端末装置が前記無線基地局装置を介して第１の無線通信を行うときに前記無線基地局装置において割り当てられる第１の無線リソースに対して第２の無線リソースが割り当てられ、前記割り当てられた第２の無線リソースのリソース情報を前記無線基地局装置から受信する受信部を備え、
前記第２の無線リソースは、他の無線基地局装置において第２の端末装置が前記第２の無線通信を行うときに割り当てられる第３の無線リソースと同一又は一部が重複することを特徴とする端末装置。
【請求項１０】
第１及び第２の無線基地局装置と、第１から第３の端末装置とを備えた無線通信システムにおける無線リソースの割り当て方法であって、
前記第１の無線基地局装置は、
前記第１の端末装置が前記第１の無線基地局装置を介さずに前記第２の端末装置と第２の無線通信を行うとき、前記第１の端末装置が前記第１の無線基地局装置を介して第１の無線通信を行うときに割り当てられる第１の無線リソースに対して第２の無線リソースを前記第１の端末装置に割り当て、
前記第２の無線リソースの割り当て情報を前記第１の端末装置に送信し、
前記第１の端末装置は、前記割り当て情報を前記第１の無線基地局装置から受信し、
前記第２の無線リソースは、前記第２の無線基地局装置において前記第３の端末装置が前記第２の無線通信を行うときに割り当てられる第３の無線リソースと同一又は一部が重複することを特徴とする無線リソースの割り当て方法。
【国際調査報告】
2013179472.tif 000020
2013179472.tif 000021
2013179472.tif 000022
2013179472.tif 000023